(57)【特許請求の範囲】
【請求項１】
棚板構造体であって、矩形状の底板の四辺部に形成された枠部と、前記枠部の四辺の内側壁に接当し、かつ該枠部の上縁と同一面となるように前記底板の上面に載置されるハニカム構造板と、前記枠部の上縁および前記ハニカム構造板の上面を覆うシートカバーとを有し、
前記ハニカム構造板は、前記底板に対して垂直な方向に貫通してなる複数個の孔を有し、前記枠部は、互いに離隔した内側壁と外側壁とを有し、前記内側壁と外側壁の間には該枠部の底面に垂直な複数本のリブが形成され、前記枠部の外側壁の両端部には棚支持部に対する係止用凹部が形成され、前記枠部の前記底板、前記内側壁、前記外側壁および前記リブは合成樹脂材で一体に成形されてなることを特徴とする棚板構造体。
【請求項２】
前記枠部は互いに離隔した内側壁と外側壁とを有し、前記リブは前記内側壁と前記外側壁との間をつなぐ状態で形成されていることを特徴とする請求項１に記載の棚板構造体。
【請求項３】
前記リブは前記内側壁と前記外側壁との間に格子状に形成されていることを特徴とする請求項１または２に記載の棚板構造体。
【請求項４】
前記ハニカム構造板は上面及び／又は下面に平板状の面板が貼着されていることを特徴とする請求項１乃至３のいずれかに記載の棚板構造体。
【請求項５】
前記枠部の奥側の前記外側壁に表示板が保持される切込みが形成されていることを特徴とする請求項１乃至４のいずれかに記載の棚板構造体。
【請求項６】
前記底板、前記枠部および前記シートカバーの全体が化粧シートで囲包されていることを特徴とする請求項１乃至５のいずれかに記載した棚板構造体。
【請求項７】
前記底板、前記枠部および前記シートカバーの全体がフィルム加飾による被覆がなされていることを特徴とする請求項１乃至６のいずれかに記載の棚板構造体。
【発明の詳細な説明】
【技術分野】
【０００１】
本発明は各種の物品を載せる棚板構造体、特に、衣料品等商品の陳列棚として有用な取付け、取外し可能な棚板構造体に関する。
【背景技術】
【０００２】
従来から店舗における商品の陳列棚として、向き合った側壁あるいは支持柱の間に複数の矩形板状の載置台を上下に離隔して支持した構造のものが知られている。この載置台は前記側壁あるいは支持柱に簡単に取付け、取外しができるように載置台の長手方向両端部を前記側壁等に形成した突起や段部等で下側から係止させて載置台を支持するのが一般的である。このような商品陳列棚は、以前は単なる木製の板や金属板で形成されていたが、載置する商品の重さに耐える強度とともに、取付け、取外し時の扱い性を考慮し、プラスチック素材による成形品として、プラスチック板の裏面に補強リブを形成した構造のもの、あるいは一対のプラスチック板の間にサンドイッチ状に格子構造物や蛇腹構造物あるいはハニカム構造体を挟み込んだものが提案されている。
【０００３】
例えば特許文献１に記載の棚板および棚板の取付け方法は、離隔した表面板と裏面板との間に波形帯状の複数個の基材を敷き詰めた構造の棚板とし、この棚板構造物を支持壁に保持する際には、棚板の側端部に露出する部分の前記基材を剥離して前記側端部に沿って凹状の空間部を形成し、支持壁に設けた受桟部を前記棚板の側端部の前記空間部に差し込むことで前記棚板を支持するようにしている。
【先行技術文献】
【特許文献】
【０００４】
【特許文献１】特許第５７４９３０７号特許公報
【特許文献２】特開平１１−２２１１２９号公報
【特許文献３】特開２００１−８１９５７号公報
【発明の概要】
【発明が解決しようとする課題】
【０００５】
従来の木製あるいは金属板単体の棚板では、例えば全長１２０ｃｍで奥行き４５ｃｍ程度の大きさのものでは５、６ｋｇ程の重さになり、衣服やその他の陳列品を載せたまま運んだり、棚板の位置替え等の際には大変な労力を要することとなる。棚板の長距離搬送、特に海外への輸送の場合は、熱暑や湿気の環境下で木製の棚板が反りを起したり、金属製棚板では錆付き等の金属腐食をきたすおそれがあった。
【０００６】
プラスチック製の棚板では比較的軽量となる利点はあるものの、剛性等強度の点で問題があり、重量のある陳列品に対しては不向きである。また、特許文献１の棚板構造は棚板の側端部で表面板と裏面板との間に空間部をつくり、この空間部に支持壁側の受桟部を差し込んで棚板全体を支える構造のため、棚板の支持荷重は前記表面板に加わることとなり、棚板の端部近くで前記表面板のわん曲を起しやすく、棚板全体の厚みが増す割には強度が必ずしも充分とはいえない。
【０００７】
本発明は、全体の厚みを薄く構成でき、軽量でありながら充分な剛性を有し、しかも構成部品の数が少なく、取付け、取外しあるいは搬送等取扱いが容易で、また、製作もきわめて容易に成し得る低コストの棚板構造体を提供することを目的とする。また取付けの自由度が高い棚板構造体を提供することを目的とする。
【０００８】
本発明はまた、プラスチック材および紙材その他樹脂シートを構成部品とするものの、外観が木製あるいは金属製の一体物で構成されたような印象を与え、さらに陳列品に関する表示片、例えば品名や価格表示等の正札、その他の表示ラベルを棚板の縁部に掛け留めすることも容易な棚板構造体を提供することを目的とするものである。
【課題を解決するための手段】
【０００９】
本発明に係る棚板構造体は、少なくとも両端部が棚支持部に対して水平に支持される棚板構造体であって、矩形状の底板の四辺部に形成された枠部と、前記枠部の四辺の内側壁に接当し、かつ該枠部の上縁と同一面となるように前記底板の上面に載置されるハニカム構造板と、前記枠部の上縁および前記ハニカム構造板の上面を覆うシートカバーとを有し、前記枠部には該枠部の底面に垂直な複数本のリブが形成されることを特徴とする。
【００１０】
本発明の他の形態によれば、前記枠部は互いに離隔した内側壁と外側壁とを有し、前記リブは前記内側壁と前記外側壁との間をつなぐ状態で形成されることを特徴とする。
【００１１】
本発明の他の形態によれば、前記リブは前記内側壁と前記外側壁との間に格子状に形成されることを特徴とする。
【００１２】
本発明の他の形態によれば、前記枠部は、該枠部の前記両端部に前記棚支持部に対する係止用凹部が形成されることを特徴とする。
【００１３】
本発明の他の形態によれば、前記底板、前記枠部および前記リブが合成樹脂材で一体に成形されていることを特徴とする。
【００１４】
本発明の他の形態によれば、前記ハニカム構造板は前記底板に対して垂直な方向に貫通してなる複数個の孔を有することを特徴とする。
【００１５】
本発明の他の形態によれば、前記ハニカム構造板は上面及び／又は下面に平板状の面板が貼着されてなることを特徴とする。
【００１６】
本発明の他の形態によれば、前記枠部の奥側の前記外側壁に表示板が保持される切込みが形成されることを特徴とする。
【００１７】
本発明の他の形態によれば、前記底板、前記枠部および前記シートカバーの全体が化粧シートで囲包されていることを特徴とする。
【００１８】
本発明の他の形態によれば、前記底板、前記枠部および前記シートカバーの全体がフィルム加飾による被覆がなされていることを特徴とする。
【発明の効果】
【００１９】
本発明に係る棚板構造体は、矩形状の底板の表面縁部に形成される枠部に複数のリブを形成したことにより、底板および枠部を薄板で形成しても充分な剛性が得られ、全体が軽量となり、取付け、取外し、および搬送等の取扱いが容易となる。
【００２０】
また、枠部の内側面に接して底板上に、該底板の面に対して垂直に多数の孔を有するハニカム構造板を配置したので、底板自体が薄板であっても底板の強度が確保される。前記ハニカム構造板を硬質紙材あるいは樹脂シート材で形成することにより、この点でも全体の軽量化が達成される。
【図面の簡単な説明】
【００２１】
【図１】本発明の１実施例に係る棚板構造体の底板および枠部の平面図である。
【図２】図１の実施例に係る棚板構造体の底板および枠部の斜視図である。
【図３】本発明の他の実施例に係る棚板構造体の底板および枠部の斜視図である。
【図４】本発明に係る底板および枠部に設置されるハニカム構造板の１実施例を示す平面図である。
【図５】本発明に係る底板および枠部に設置されるハニカム構造板の他の実施例を示す斜視図である。
【図６】図２における枠部からハニカム構造板の上面にかけて設置されるシートカバーの斜視図である。
【図７】図３における枠部からハニカム構造板の上面にかけて設置されるシートカバーの斜視図である。
【図８】本発明の１実施例に係る棚板構造体を組立て順に分解して示した斜視図である。
【図９】本発明の他の実施例に係る棚板構造体の斜視図である。
【図１０】図９に示す棚板構造体の長辺側の側面図（ａ）および短辺側の側面図（ｂ）である。
【図１１】木目状のフィルム加飾を施した本発明の実施例に係る棚板構造体のコーナ部分の外観を示す部分的な拡大斜視図である。
【図１２】図９に示す棚板構造体を支持壁に支持した状態の実施例を示す部分的な正面図である。
【図１３】本発明の他の実施例に係る棚板構造体を支持壁に支持した状態の部分的な正面図である。
【発明を実施するための形態】
【００２２】
次に、本発明を、図面を参照しつつ、実施例について説明する。
(底板および枠部)
図１および図２を参照すれば、硬質プラスチック製の薄板で形成された矩形平板状の底板１の上面四辺部に、同材質の枠部２が一体に形成されている。枠部２は底板１の外縁を構成する外側壁２ａと、この外側壁２ａに対して所定の間隔を有して底板上面に形成された内側壁２ｂとを有している。枠部２の外側壁２ａと内側壁２ｂとの間の空間部には、底板１の板面に対して垂直に立設された複数の薄板状のリブ３が格子状に形成されている。具体的には、長辺側の枠部２では、前記外側壁と前記内側壁をつなぐ複数本の短リブ３ａと、これらの短リブ３ａに対して直角方向にのびる長リブ３ｂとが設けられ、短辺側の枠部２においても同様に外側壁２ａと内側壁２ｂをつなぐ複数本の短リブ３ａと、これらの短リブ３ａに対して直角方向にのびる長リブ３ｂとが設けられている。また、枠部２の長辺側および短辺側とも、外側壁の内側面には複数個の上下にのびる小リブ５が形成されている。
【００２３】
図３に示す実施例における棚板構造体の底板１および枠部２においても、図１、図２に示した実施例と同様に、矩形平板の底板１の上面四辺部に同材質の枠部２が一体に形成されており、図１、図２と同様の部分には同じ符号を付し、その重複した説明は省略する。
【００２４】
図３の実施例では、短辺側の枠部２の外側部には、この棚板構造体１０（図９）を支持壁に掛留めする際に前記支持壁に形成した突起と係合する一対の係止用凹部６が形成されている。支持壁に対する棚板構造体１０の支持、掛留めについてはさらに後述する。また、長辺側の枠部２の一辺部、具体的には前記支持壁に支持したときの奥側に相当する枠部２の一辺部には、例えば棚板上に載置する商品の品名やサイズ等の品種、価格等を表示する表示片、正札等を係止する切込み７が適宜形成されている。なお、図１〜図３の実施例とも、この枠部２および底板１は、枠部のリブ３も含めて、合成樹脂材の射出成形により一体に製作される。この場合、枠部２に形成されるリブ３は底板１あるいは枠部２の底部に対して垂直に形成されているため、成形加工時の型抜きが容易となり、底板１の強度確保とともに効率よく製作できる。
【００２５】
(ハニカム構造板)
次に、図４を参照して本発明に用いられるハニカム構造板８の実施例を説明する。この実施例のハニカム構造板８は平面視で矩形体の外形形状を成し、その矩形体の縦、横の長さは、枠部２の内側の縦、横の長さにほぼ対応し、また全体の厚みは枠部２の内側壁２ｂの高さにほぼ対応した厚みを有している。つまり、このハニカム構造板８を底板１上に載せたとき、ハニカム構造板８の各側部が枠部２の内側の壁面に接し、ハニカム構造板８の上面は枠部２の上縁と同一面となるような形態に形成されている。
【００２６】
ハニカム構造板８は底板１に接当する下面に対して垂直にのびる複数個の貫通した孔１３を有する。上面からみた各孔１３の形状は、実施例のように、正六角形の形状、つまり外面および内面が正六角形となった正六角筒体を縦、横に隙間なく並べた形態が挙げられる。しかし本発明に係るハニカム構造板８はこの代表的な形態に限定されるものでなく、三角形、四角形、五角形等、多角形の筒体を立位状態に敷き詰めたような形態のものであってもよい。多角形筒体の内孔は丸孔であってもよい。また丸孔と多角形孔を混在させたものであってもよい。いずれも多数の孔が並べて明けられているので、全体の重量は軽く、しかも筒体の柱壁によって強度は確保される。
【００２７】
図５は本発明の他の実施例に係るハニカム構造板８を示した斜視図である。全体の縦、横の外形形状および全体の厚みは、図４の場合と同様に底板１に設置したとき四辺の側部が枠部２の内側壁２ｂに接当し、かつ構造板の上面が枠部２の上面と同一面になるように形成されている。しかし図５の実施例では、ハニカム構造板８は裏板９と表板１１との間にハニカム構造部１２をサンドイッチ状に挟み込んだ形態となっている。この場合のハニカム構造部１２の孔構造は図４の場合と同様であるが、この実施例でも各孔の形状は六角形に限らず三角形、四角形、五角形等、多角形の筒体を立位状態に敷き詰めたような形態のものであってもよい。多角形筒体の内孔は丸孔であってもよい。また丸孔と多角形孔を混在させたものであってもよい。ハニカム構造板８の裏板９、表板１１および内部のハニカム構造部１２は軽量化のため硬質の紙製あるいは樹脂製のシートによって形成されている。また、ハニカム構造部１２の表裏両面に平板を貼着したものに限定されず、ハニカム構造部１２の上部のみに表板１１を貼付け、裏板は省略して底板１に直接ハニカム構造部１２を載置する形態、あるいは逆に下面にのみ裏板１１を貼付け、上面の表板１１は省略した形態のものでもよい。ハニカム構造板８の裏板９、表板１１および内部のハニカム構造部１２は軽量化のため硬質の紙製あるいは樹脂製のシートによって形成されている。
【００２８】
(シートカバー)
上述のように底板１にハニカム構造板８を設置した後、枠部２の上縁からハニカム構造板８の上面にかけてシートカバー１４が貼着される。図６は図１、図２の実施例に適用されるシートカバー１４の斜視図であり、枠部２の縦、横の寸法と同じ縦、横寸法の矩形状のシートで構成されている。これに対して図７に示す実施例のシートカバー１４は図３の実施例の枠部をもつ棚板構造体に適用されるシートカバーであり、枠部の短辺側の側部に形成された係止用凹部６に対応する切込み１５、および枠部の長辺側の側部に形成された表示片用の切込み７に対応する切込み１６がシートの側部に形成されている。シートカバー１４は紙製のものでもよいが、好ましくはプラスチック製の薄板、樹脂製シートが用いられる。このようにして外観上は図８および図９に示すように所定の厚みをもつ矩形状の棚板構造体１０が得られる。
【００２９】
別の実施例によれば、この棚板構造体１０の外面全体をさらに化粧シートで囲包してもよい。この場合、化粧シートの囲包、貼着のほかに、例えば木目模様を呈するようなフィルム加飾加工によって外面被覆処理を行ってもよい。図１１は実際に木目模様を呈するフィルム加飾加工によって枠部２の側部からシートカバー１４（図６、図７）の上面全体を被覆した棚板構造体１０のコーナー部分を示したものであり、このような加飾加工により、棚板構造体自体があたかも１枚の木板で構成されたような外観を呈する。加飾加工としては、木目のほか、金属光沢、皮革外観を呈するもの、布模様その他が挙げられる。
【００３０】
次に、本発明に係る棚板構造体１０を商品陳列棚として支持壁に掛留めする形態を説明する。図１２に示すように、一対の対向した支持壁２０（一方のみを図示する）には該支持壁２０に対して垂直に突出した支持板２１と、支持板２１の上面から上方へ突出した短軸２２とを有し、短軸２２は棚板構造体１０の枠部２の短辺側に形成された一対の係止用凹部６の間隔に対応して支持板２１上に一対設けられている。支持板２１は棚板構造体１０の長手方向（枠部長辺方向）に向き合って設けられており、棚板構造体１０はその両端部の下面が支持壁２０の支持板２１上に載せられるとともに、支持板２１の短軸２２が枠部２の係止用凹部６に挿入される。棚板構造体１０は支持板２１の短軸２２と枠部２の前記凹部６との係合によって位置ずれを起すことなく支持板２１上に支持される。
【００３１】
図１３は支持壁による棚板構造体１０の他の支持形態を示したものであり、この場合は、棚板構造体１０の枠部２の短辺側で底板１に連接する下部分に枠部２の長辺方向へのびる一対の係止用凹部６が形成され、支持壁２０には、枠部２の凹部６に対応した位置で壁面に対して垂直に横短軸２３が設けられている。図１１にも明示するように、この実施例では枠部２の係止用凹部６は下部側が開口しており、支持壁２０の横短軸２３と枠部２の係止用凹部６を係合させることにより棚板構造体１０が支持壁２０に支持される。場合により、棚板構造体１０の支持をより安定化させるために、支持壁２０には図１２で説明したような支持板２１を横短軸２３の下側に設け、枠部２の係止用凹部６と横短軸２３を係合させるとともに支持板２１で棚板構造体１０の下面を支持するようにしてもよい。図１２、図１３の形態においては、棚板構造体１０を上側から支持板２１上に載せることで簡単に棚板構造体１０を取付けることができ、また、この状態から上方へ持ち上げることで簡単に棚板構造体の取外しができる。
【００３２】
本発明の棚板構造体は、枠部とハニカム構造体とシートカバーとの複合体とすることにより、軽量でありながら棚板として充分な強度を得ることができる。
【符号の説明】
【００３３】
１  底板
２  枠部
２ａ  枠部の外側壁
２ｂ  枠部の内側壁
３  リブ
３ａ  短リブ
３ｂ  長リブ
６  係止用凹部
７  切込み
８  ハニカム構造板
９  ハニカム構造板の裏板
１０  棚板構造体
１１  ハニカム構造板の表板
１２  ハニカム構造部
１３  ハニカム構造部の孔
１４  シートカバー
２０  支持壁
２１  支持板
２２  支持板上の短軸
２３  横短軸
【図１】
0006320352.tif 000002
【図２】
0006320352.tif 000003
【図３】
0006320352.tif 000004
【図４】
0006320352.tif 000005
【図５】
0006320352.tif 000006
【図６】
0006320352.tif 000007
【図７】
0006320352.tif 000008
【図８】
0006320352.tif 000009
【図９】
0006320352.tif 000010
【図１０】
0006320352.tif 000011
【図１１】
0006320352.tif 000012
【図１２】
0006320352.tif 000013
【図１３】
0006320352.tif 000014